(57)【要約】【課題】  任意の通信方式を使用可能として汎用性を向上でき、可視の識別情報を不要として利便性を向上できる。【解決手段】  周辺オブジェクト１〜４毎に表示用情報及び通信方式が記述されたメタデータをＩＤ−メタデータＤＢサーバ２０を準備し、ディスプレイ装置３０は、周辺オブジェクト１〜４を無線信号の受信により検出すると、この検出された周辺オブジェクト１〜４のメタデータをＩＤ−メタデータＤＢサーバ２０から取得し、メタデータに記述された通信方式に基づいて周辺オブジェクト代表サーバ１０に通信を実行する。【選択図】  図１
2005175666.tif 000002
【特許請求の範囲】
【請求項１】
周辺オブジェクトから出力される無線信号を受信し、得られた受信信号から周辺オブジェクトを識別する工程と、
前記受信信号から周辺オブジェクトの方位を検出する工程と、
周辺オブジェクト毎に表示用情報及び通信方式を記述したメタデータを記憶する記憶装置から、前記識別した周辺オブジェクトに対応するメタデータを取得する工程と、
前記メタデータ内の表示用情報に基づいて前記周辺オブジェクトに対応するアイコンを画面内の前記方位に対応する位置に表示する工程と、
前記アイコンが選択されると、このアイコンに対応するメタデータに記述された通信方式に基づいて、前記周辺オブジェクトに応じた通信を実行する工程と、
を備えたことを特徴とする周辺オブジェクト通信方法。
【請求項２】
無線信号を周辺に出力する周辺オブジェクト毎に、表示用情報及び通信方式が記述されたメタデータが記憶されるメタデータ記憶手段と、
前記周辺オブジェクトから出力される無線信号を受信し、得られた受信信号を送出する無線信号受信手段と、
前記受信信号に基づいて周辺オブジェクトを識別するオブジェクト識別手段と、
前記受信信号に基づいて周辺オブジェクトの方位を検出する方位検出手段と、
前記識別した周辺オブジェクトのメタデータを前記記憶装置から取得するメタデータ取得手段と、
前記メタデータ内の表示用情報に基づいて前記周辺オブジェクトに対応するアイコンを画面内の前記方位に対応する位置に表示するアイコン表示手段と、
前記アイコンが選択されると、このアイコンに対応するメタデータに記述された通信方式に基づいて、前記周辺オブジェクトに応じた通信を実行する通信手段と、
を備えたことを特徴とする周辺オブジェクト通信装置。
【請求項３】
請求項２に記載の周辺オブジェクト通信装置において、
前記方位検出手段及び前記アイコン表示手段に代えて、
前記受信信号に基づいて周辺オブジェクトの位置を検出する位置検出手段と、
前記メタデータ内の表示用情報に基づいて、前記周辺オブジェクトに対応するアイコンを画面内の前記検出された位置に対応する位置に表示するアイコン表示手段と、
を備えたことを特徴とする周辺オブジェクト通信装置。
【請求項４】
請求項３に記載の周辺オブジェクト通信装置において、
前記無線信号は電波信号であり、
前記位置検出手段は、
前記電波信号により方位を検出する手段と、
前記電波信号の電界強度によって距離を推測する手段と、
前記方位及び距離から前記位置を検出する手段と、
を備えたことを特徴とする周辺オブジェクト通信装置。
【請求項５】
請求項３に記載の周辺オブジェクト通信装置において、
前記位置検出手段は、
互いに異なる角度を有して設置された複数のアンテナと、
前記各アンテナにより検出された無線信号の電界強度を合成し、この合成結果に基づいて、前記位置を推測する手段と、
を備えたことを特徴とする周辺オブジェクト通信装置。
【請求項６】
請求項３に記載の周辺オブジェクト通信装置において、
無線信号を送受信可能な複数のアンテナを配列してなるアレイアンテナと、
前記各アンテナから射出される射出信号の位相を制御し、得られた指向性電波の射出信号を前記アレイアンテナから射出させる手段と、
この射出信号の射出に応じて周辺オブジェクトから無線信号を受信すると、この受信した時点の射出方位を、周辺オブジェクトが存在する方位として推測する手段と、
を備えたことを特徴とする周辺オブジェクト通信装置。
【請求項７】
請求項６に記載の周辺オブジェクト通信装置において、
前記各アンテナに接続された各モータを有し、前記各モータを駆動して各アンテナの向きを調整するアンテナ調整手段と、
前記向きが調整された各アンテナに受信された無線信号に基づいて、前記周辺オブジェクトを示すアイコンを、三次元の半球形状を有する画面に表示する半球画面表示手段と、
を備えたことを特徴とする周辺オブジェクト通信装置。
【請求項８】
請求項２に記載の周辺オブジェクト通信装置にネットワークを介して通信可能なネットワーク通信システムにおいて、
情報提供要求に応じて周辺オブジェクト毎の情報を提供する第１サーバ装置と、
周辺オブジェクトに関するメタデータ取得要求を受けると、前記第１サーバ装置を示すネットワーク上の終点アドレス又はＷＷＷページの識別子を含むメタデータを要求元に返信する第２サーバ装置とを備えており、
前記周辺オブジェクト通信装置は、
前記識別した周辺オブジェクトに関するメタデータ取得要求を第２サーバ装置に送信する手段と、
前記第２サーバ装置から返信されたメタデータ内の前記終点アドレス又は識別子に基づいて、前記第１サーバ装置に情報提供要求を送信する手段と、
を備えたことを特徴とするネットワーク通信システム。
【請求項９】
請求項８に記載のネットワーク通信システムにおいて、
前記メタデータは、ＷＷＷ上で使用される汎用の記述言語により、周辺オブジェクトの通信手順が記述されていることを特徴とするネットワーク通信システム。
【請求項１０】
請求項２に記載の周辺オブジェクト通信装置にネットワークを介して通信可能な第１サーバ装置であって、
予め周辺オブジェクト毎に関連情報が記憶される関連情報記憶手段と、
前記周辺オブジェクト通信装置から周辺オブジェクトの情報提供要求を受けると、この情報提供要求に応じて前記関連情報記憶手段内の該当する関連情報を周辺オブジェクト通信装置に返信する情報返信手段と、
を備えたことを特徴とする第１サーバ装置。
【発明の詳細な説明】
【技術分野】
【０００１】
本発明は、周辺に存在する他の装置や物体（以下、周辺オブジェクトともいう）を表示してこれらと通信するための周辺オブジェクト通信方法及び装置に係り、特に、汎用性及び利便性を向上し得る周辺オブジェクト通信方法、装置及びシステムに関する。
【背景技術】
【０００２】
従来、周辺オブジェクトとの通信方法に用いられる測位技術と表示技術との組み合わせにおいては、以下のような例がある。すなわち、測位技術の例としては、超音波を用いるスマートバット（SmartBat；オリベッティ研究所製）が存在する。スマートバットでは、周辺オブジェクトを高精度（１立方インチ単位）に測位可能な利点があるものの、測位領域全体に超音波センサを埋め込む必要がある。
【０００３】
これに対し、このような必要が無い技術が、例えば特許文献１，２に記載されている。具体的には、特許文献１には、複数のＰＤＡ（携帯情報端末）間でブルートゥースにより通信を行なう技術を代表例とし（段落［０００１］など参照）、任意のデータ通信装置と通信方式により通信を行なうことが記載されている（段落［０１２９］及び［０１３０］参照）。特許文献２には、可視の識別情報を撮像することにより、ターゲットを識別する技術が記載されている（請求項１など参照）。
【特許文献１】特開２００３−１５２６１５号公報
【特許文献２】特開２００１−１４２８２５号公報
【発明の開示】
【発明が解決しようとする課題】
【０００４】
しかしながら、以上のような周辺オブジェクト通信方法では、通常は特に問題はないが、本発明者の検討によれば、それぞれ技術を向上させる余地があると考えられる。
【０００５】
例えば特許文献１に記載の技術の場合、様々な通信方式を適用可能であるものの（段落［０１２９］参照）、適用した通信方式に送信手段を変更するので（段落［０１３０］参照）、適用した通信方式とは異なる任意の通信方式を使用できず、汎用性に向上の余地があると考えられる。
【０００６】
一方、特許文献２に記載の技術は、可視の識別情報を撮像する必要があるため（請求項１参照）、ターゲットを一つしか選択できない不具合があることに加え、状況によっては撮像装置を持ち上げる不具合が生じるので、利便性に向上の余地があると考えられる。
【０００７】
本発明は上記実情を考慮してなされたもので、任意の通信方式を使用可能として汎用性を向上でき、可視の識別情報を不要として利便性を向上し得る周辺オブジェクト通信方法、装置及びシステムを提供することを目的とする。
【課題を解決するための手段】
【０００８】
第１の発明は、周辺オブジェクトから出力される無線信号を受信し、得られた受信信号から周辺オブジェクトを識別する工程と、前記受信信号から周辺オブジェクトの方位を検出する工程と、周辺オブジェクト毎に表示用情報及び通信方式を記述したメタデータを記憶する記憶装置から、前記識別した周辺オブジェクトに対応するメタデータを取得する工程と、前記メタデータ内の表示用情報に基づいて前記周辺オブジェクトに対応するアイコンを画面内の前記方位に対応する位置に表示する工程と、前記アイコンが選択されると、このアイコンに対応するメタデータに記述された通信方式に基づいて、前記周辺オブジェクトに応じた通信を実行する工程と、を備えた周辺オブジェクト通信方法である。
【０００９】
第２の発明は、無線信号を周辺に出力する周辺オブジェクト毎に、表示用情報及び通信方式が記述されたメタデータが記憶されるメタデータ記憶手段と、前記周辺オブジェクトから出力される無線信号を受信し、得られた受信信号を送出する無線信号受信手段と、前記受信信号に基づいて周辺オブジェクトを識別するオブジェクト識別手段と、前記受信信号に基づいて周辺オブジェクトの方位を検出する方位検出手段と、前記識別した周辺オブジェクトのメタデータを前記記憶装置から取得するメタデータ取得手段と、前記メタデータ内の表示用情報に基づいて前記周辺オブジェクトに対応するアイコンを画面内の前記方位に対応する位置に表示するアイコン表示手段と、前記アイコンが選択されると、このアイコンに対応するメタデータに記述された通信方式に基づいて、前記周辺オブジェクトに応じた通信を実行する通信手段と、を備えた周辺オブジェクト通信装置である。
【００１０】
（作用）
従って、第１及び第２の発明は以上のような手段を講じたことにより、周辺オブジェクトを無線信号の受信により識別すると、周辺オブジェクト毎に表示用情報及び通信方式が記述されたメタデータを記憶する記憶装置から、この識別された周辺オブジェクトのメタデータを取得し、メタデータに記述された通信方式に基づいて通信を実行するので、任意の通信方式を使用可能として汎用性を向上でき、可視の識別情報を不要として利便性を向上できる。
【発明の効果】
【００１１】
以上説明したように本発明によれば、任意の通信方式を使用可能として汎用性を向上でき、可視の識別情報を不要として利便性を向上できる。
【発明を実施するための最良の形態】
【００１２】
以下、本発明の各実施形態について図面を参照しながら説明する。  
（第１の実施形態）
図１は本発明の第１の実施形態に係るネットワーク通信システムの構成を示す模式図である。このシステムは、周辺オブジェクト代表サーバ１０、ＩＤ−メタデータ・ＤＢ（データベース）サーバ２０及びディスプレイ装置３０が互いにネットワークＮＷを介して接続されている。また、ディスプレイ装置３０の周辺には、無線信号を出力する無線タグ（ＲＦ−ＩＤ）ｔｇ１〜ｔｇ４を個別に備えた周辺オブジェクト１〜４が配置されている。
【００１３】
ここで、無線タグｔｇ１〜ｔｇ４は、それぞれ対応する周辺オブジェクト装置１〜４を識別するための周辺オブジェクトＩＤ（周辺オブジェクトＩＤ）を表す無線信号を周辺に出力する機能をもっている。なお、無線信号は、ここでは無線タグ（ＲＦ−ＩＤ）による電波信号を用いるが、これに限らず、ブルートゥース又は無線ＬＡＮの電波信号や赤外線信号を用いてもよい。
【００１４】
周辺オブジェクト１〜４は、周辺オブジェクトＩＤにより識別される任意の装置又は物体であり、それぞれ無線タグｔｇ１〜ｔｇ４を備えている。
【００１５】
周辺オブジェクト代表サーバ（第１サーバ装置）１０は、予め周辺オブジェクト１〜４毎に、関連情報が記憶されるメモリ（図示せず）を有し、ディスプレイ装置３０からネットワークＮＷを介して周辺オブジェクト１〜４のいずれかの情報提供要求を受けると、この情報提供要求に応じてメモリ内の該当する周辺オブジェクトの関連情報をディスプレイ装置３０に返信する機能をもっている。また、周辺オブジェクト代表サーバ１０は、ディスプレイ装置３０からネットワークＮＷを介して周辺オブジェクト１〜４のいずれかの制御命令を受けると、この制御命令に応じて周辺オブジェクトを制御する機能をもっている。
【００１６】
なお、周辺オブジェクト代表サーバ１０は、関連情報の返信機能と周辺オブジェクトの制御機能との両者をもつ必要は無く、周辺オブジェクトの性質に応じて、当該返信機能又は制御機能を省略しても良い。また、１台の周辺オブジェクト代表サーバ１０に複数の周辺オブジェクト１〜４を対応付ける形態に限らず、１個の周辺オブジェクトに複数の周辺オブジェクト代表サーバを対応付ける形態としても良い。
【００１７】
周辺オブジェクト代表サーバ１０は、十分な計算能力、通信能力を持たない物体からなる例えば周辺オブジェクト４には、操作及び情報の取得のために計算能力及び通信能力を提供し、特に、その周辺オブジェクト４を含めた単一ないし複数の周辺オブジェクト４，…の情報提供機能や操作を代行する機能をもっている。
【００１８】
ＩＤ−メタデータ・ＤＢサーバ（第２サーバ装置）２０は、周辺オブジェクト１〜４のいずれかに関するメタデータ取得要求を受けると、周辺オブジェクト代表サーバ１０を示すネットワークＮＷ上の終点アドレス又はＷＷＷページの識別子を含むメタデータを要求元に返信する機能をもっている。ここで、終点アドレスは、例えばＩＰアドレスであるが、これに限らず、ドメイン名を用いるようにしてもよい。ＷＷＷページの識別子はＵＲＬ（Uniform Resource Locator）であるが、これに限らず、ＵＲＮ（Uniform Resource Name）又はＵＲＩ（Uniform Resource Identifier）を用いてもよい。
【００１９】
メタデータは、ＸＭＬのような汎用の記述言語で書かれた構造化文書であり、ＸＭＬに限らず、ＷＷＷ上で使用される汎用の記述言語であれば好適に使用可能である。メタデータは、次に示すような要素（Ｅ１）〜（Ｅ５）のうち、図２に一例を示すように、周辺オブジェクト１〜４の機能を記述するために必要な要素で構成される。
【００２０】
（Ｅ１）周辺オブジェクト名称、（Ｅ２）周辺オブジェクトＩＤ（個体識別情報）、（Ｅ３）周辺オブジェクトアイコン用図画取得方法（通信手順等の通信方式、ＵＲＬ等）、（Ｅ４）周辺オブジェクト製造者、（Ｅ５）周辺オブジェクト操作。  
なお、図２は要素（Ｅ１）〜（Ｅ３），（Ｅ５）からなる例を示している。
【００２１】
特に、要素（Ｅ５）の周辺オブジェクト操作には、以下のような要素（Ｅ５１）〜（Ｅ５５）のうち、周辺オブジェクトの操作に該当するものが含まれる。
【００２２】
（Ｅ５１）初期化操作：他の操作よりも先に実行すべき操作である。
【００２３】
（Ｅ５２）詳細情報取得操作：周辺オブジェクト１〜４に関する詳細な情報（例、リアルタイムデータ等）を取得するための操作である。
【００２４】
（Ｅ５３）信号検出時操作：ディスプレイ装置３０が周辺オブジェクト１〜４の無線タグｔｇ１〜ｔｇ４の無線信号の検出時に行なう操作である。周辺オブジェクト１〜４が、他の周辺オブジェクトに状態変化を送信するために、ディスプレイ装置３０への通信方法を周辺オブジェクト代表サーバ１０に登録するよう依頼する場合等に使用される。
【００２５】
（Ｅ５４）信号喪失時操作：ディスプレイ装置３０が無線タグｔｇ１〜ｔｇ４の無線信号を喪失した時に行う操作である。
【００２６】
（Ｅ５５）アクション対応操作：ユーザの入力に対応する操作である。
【００２７】
なお、アクション対応操作（Ｅ５５）は、以下のような操作（Ｅ５５−１）〜（Ｅ５５−６）に分類される。
【００２８】
（Ｅ５５−１）開く／編集操作：何らかのメニューより、開く／編集を選択した場合に行なう操作である。
【００２９】
（Ｅ５５−２）クリック時操作：アイコンｉｃ１〜ｉｃ４へのクリック時に行なう操作である。クリックは、周辺オブジェクトのアイコンｉｃの表示範囲内にポインタがある場合の、予め定められた一定時間内のポインタボタン押下→ポインタボタン押下解除、を意味している。
【００３０】
（Ｅ５５−３）ダブルクリック時操作：アイコンへのダブルクリック時に行う操作である。最も頻繁に用いる操作（操作のためのユーザインタフェイス呼出し等）をこの操作に割り当てる。ダブルクリックは、予め定められた一定時間内の二回のクリック操作を意味している。
【００３１】
（Ｅ５５−４）メタクリック時操作：アイコンへのメタクリック時に行う操作である。メタクリックとは、（ｉ）マウスの副次的なボタン（一般的には最も右側）によるクリック操作、（ｉｉ）特殊キー押下状態におけるクリック操作、（ｉｉｉ）マウス等のボタン押下状態を一定期間維持する操作等を言う。実際にどの操作をメタクリックに割り当てるかは、ディスプレイ装置３０の周辺オブジェクトアイコン制御部４２によって決定される。一般的には、メタクリック時操作は、周辺オブジェクト１〜４に対して可能な操作を一覧表示する作用を持つ。
【００３２】
（Ｅ５５−５）ドロップ時操作：アイコンｉｃ１〜ｉｃ４を他の要素（被ドロップ要素）の上に置いた場合、被ドロップ要素に対してどのような通信出力を行うかが記述される。ドロップは、周辺オブジェクトのアイコンｉｃ表示範囲内でポインタボタン押下→ポインタボタン押下状態のままポインタを移動→目標となるアイコンにこの周辺オブジェクトアイコンが重なった状態でポインタボタン押下解除、を意味している。
【００３３】
（Ｅ５５−６）被ドロップ時操作：アイコンｉｃ１〜ｉｃ４上に他の要素が置かれた場合、他の要素による出力をどのように周辺オブジェクト１〜４に伝えるかが記述される。被ドロップは、周辺オブジェクトアイコン上に別のアイコンがドロップされた旨を意味する。
【００３４】
以上がメタデータの説明である。続いて、ＩＤ−メタデータ・ＤＢサーバ２０の説明を再開する。ＩＤ−メタデータ・ＤＢサーバ２０は、分散ハッシュテーブルやＤＮＳ等の技術を用いて、分散して存在していても良い。また、個人ないし任意の団体が自身のＩＤ−メタデータ・ＤＢサーバを用意してもよい。この場合、取得するメタデータを個人ないし任意の団体が目的に応じて改変してもよい。
【００３５】
ディスプレイ装置（周辺オブジェクト通信装置）３０は、図３に示すように、記憶装置３１、アンテナアレイ３２、ポインタ入力装置３３、画面表示部３４、ネットワークＩ／Ｆ（インタフェース）３５及び情報処理装置３６を備えている。
【００３６】
記憶装置３１は、情報処理装置３６から読出／書込可能なメモリであり、周辺オブジェクトＩＤとメタデータとが互いに関連付けられて記憶されている。
【００３７】
アンテナアレイ３２は、周辺オブジェクト１〜４から出力される無線信号を受信し、得られた受信信号をシリアル回線等を介して情報処理装置３６に入力する機能をもっている。詳しくは、アンテナアレイ３２は、情報処理装置３６により制御される方式（Ａ）と、アンテナアレイが各アンテナの射出信号の位相（射出方位）を能動的に制御し、幅が絞られた指向性電波の射出信号を射出し、この射出信号の射出に応じて例えば周辺オブジェクト１から無線信号を受信すると、この受信した時点の射出方位を、周辺オブジェクト１が存在する方位として推測するように、情報処理装置３６に返す方式（Ｂ）のいずれを用いてもよい。
【００３８】
方式（Ｂ）の場合、アンテナアレイ３２は、例えば画面表示部３４の表示面と並行な面に対して電波を射出し、ディスプレイ装置３０の周辺に存在する周辺オブジェクトの方位を検出するようにしてもよい。
【００３９】
また、方式（Ａ）（Ｂ）のいずれの方式としても、電源投入時のユーザ操作による方位設定や、稼働時のユーザ操作による誤り訂正を実行してもよく、具体的には、各アンテナの電界強度の値から電波の発信源の方位を推測するための学習（方位設定や誤り学習）を行うようにしてもよい。
【００４０】
このようなアンテナアレイ３２は、指向性を調整可能な観点から、例えばアダプティブアレーが使用可能となっている。アダプティブアレーは、電波環境に応じて指向性を最適化し、妨害波を抑圧するシステムである。各アンテナ素子の受信信号に複素ウェイトを乗じて合成出力する際に、ウェイト指向性を調整する。ここで、ウェイトを決定する際に、ユーザ操作により、方位設定や誤り学習を行なうようにすればよい。
【００４１】
アンテナアレイ３２からは、検出した無線タグ毎に、少なくとも（無線タグ識別子、方位）の組み合わせの情報が情報処理装置に渡される。なお、距離の推測を行うために、これら情報の組み合わせに加え、電界強度、あるいはこれに比例した何らかの情報が渡される事が望ましい。
【００４２】
ポインタ入力装置３３は、ユーザの操作により、操作入力信号を情報処理装置３６に入力するものであり、マウスやペンタブレット等が使用可能となっている。操作入力信号は、少なくとも、ポインタの位置（ｘ；ｙ）及び操作入力の形式（EventType）が含まれる。操作入力の形式は、少なくともポインタボタン押下、ポインタボタン押下解除、ポインタ移動の三種類がある。
【００４３】
画面表示部３４は、情報処理装置３６に制御される液晶ディスプレイ等の表示デバイスであり、例えば図４に示すように、一般的な作業用画面（デスクトップ）Ｇの周囲に、周辺オブジェクト１〜４に対応するアイコンｉｃ１〜ｉｃ４を表示する機能をもっている。なお、画面表示部３４及びポインタ入力装置３３は、互いに組み合わされており、例えば、各アイコンｉｃ１〜ｉｃ４のクリック操作に応じて、ポインタ入力装置３３により操作入力信号が情報処理装置３６に入力される構成となっている。
【００４４】
ネットワークＩ／Ｆ３５は、ネットワークＮＷと情報処理装置３６との間のインターフェイス機能をもっており、本実施形態ではイーサネット（登録商標）等のネットワークに対する有線通信機能を用いるが、これに限らず、無線ＬＡＮ又はブルートゥース等のネットワークに対する無線通信機能を用いてもよい。
【００４５】
情報処理装置３６は、図５に示すように、周辺オブジェクト方位推測部４１、周辺オブジェクトアイコン制御部４２、メタデータ取得部４３及びメタデータ解釈実行部４４を備えている。
【００４６】
周辺オブジェクト方位推測部４１は、アンテナアレイ３２より入力された受信信号に基づいて、受信信号内の角度情報を処理し、周辺オブジェクトｉｃが存在する確率が高い方位又は位置を推測する機能と、推測結果及び周辺オブジェクトＩＤを周辺オブジェクトアイコン制御部４２に送出する機能とをもっている。なお、角度情報の処理には、図６に示すように、デバイス依存特性を除去する機能４１ｆ１と、その後に角度情報を平滑化する機能４１ｆ２とが含まれる。
【００４７】
デバイス依存特性除去機能４１ｆ１は、アンテナアレイ３２や、類似した無線タグｔｇの方位推定可能な無線通信装置固有の、デバイス依存の入力信号特性を補正する機能である。補正には、ユーザが関与した学習を用い、学習結果を保持する変換テーブルを参照し、アンテナアレイ３２からの方位入力を補正する等の方法がある。
【００４８】
入力平滑化機能４１ｆ２は、次式に示すように角度情報が示す角度を平滑化する機能をもっている。
【００４９】
ｄout＝ｄin＋α×｜ｄprev−ｄin｜
ここで、ｄinはデバイス依存特性除去機能４１ｆ１の出力、ｄprevは同じ無線タグｔｇの前回の検出時のｄoutの値である。αは平滑化係数であり、ｄprevを演算した時刻ｔprevと現在の時刻ｔnow及び定数Ｍを利用して求める。平滑化係数αの特性は、ｔprev−ｔnowの値に応じて、０から１までの間を変動する。かつ、ｔprev−ｔnowが定数Ｍを超える時０になり、ｔprev−ｔnowが０に近づくに従って１に近づく。平滑化係数αの算出式の例を次に示す。
【００５０】
α＝１−（ｔnow−ｔprev）／Ｍ    …（１）
α＝０                                …（２）
なお、式（１）はｔnow−ｔprev≦Ｍの場合であり、式（２）はｔnow−ｔprev≧Ｍの場合である。
【００５１】
また、周辺オブジェクト方位推測部４１が有する方位又は位置を推測する機能は、例えば、アンテナアレイ３２の各アンテナが互いに異なる角度を有するとき、平滑化機能４１ｆ２の出力が示す各無線信号の電界強度を合成し、この合成結果に基づいて、周辺オブジェクトの方位又は位置を推測可能となっている。あるいは、無線信号により方位を検出し、無線信号の電界強度によって距離を推測し、方位及び距離から位置を検出する機能として実現しても良い。
【００５２】
周辺オブジェクトアイコン制御部４２は、現在表示中のアイコンｉｃ１〜ｉｃ３を図７に示すようなアイコンリストＬにより管理する機能と、アイコンリストＬに無い周辺オブジェクトＩＤが周辺オブジェクト方位推測部４１より検出された場合、検出した方位に対応する位置に未知の周辺オブジェクトｉｃ４を意味するアイコンｉｃ４’を画面表示部３４に表示させる機能と、未知の周辺オブジェクトｉｃ４に対応するアイコンｉｃ４の表示用情報（例、アイコン用図画取得方法）をメタデータから取得し、アイコンｉｃ４を未知のアイコンｉｃ４’に代えて画面表示部３４に表示させる機能と、ポインタ入力装置３３からアイコンｉｃ１〜ｉｃ４に対する操作入力を受けると、この操作入力を識別する操作識別子とメタデータとをメタデータ解釈実行部４４に送出する機能とをもっている。
【００５３】
なお、アイコンリストＬは、周辺オブジェクトＩＤ、現在表示位置、現在検出方位、最終検出時刻、ユーザからの入力の状態（モード）、周辺オブジェクト１〜４に対応するメタデータ等を含む表により構成される。
【００５４】
メタデータ取得部４３は、一連の定められた通信手順によってＩＤ−メタデータ・ＤＢサーバ２０からメタデータを取得し、このメタデータを周辺オブジェクトアイコン制御部４２に送出するものである。なお、メタデータ取得部４３は、迅速な応答を保証する観点から、以前に取得したメタデータを一定の容量の範囲内で記憶装置３１に記録しておき、ＩＤ−メタデータ・ＤＢサーバ２０にメタデータを問合せる前に、記憶装置３１を検索する機能をもっている。
【００５５】
メタデータ解釈実行部４４は、周辺オブジェクトアイコン制御部４２から受けたメタデータに記述された初期化操作及び信号検出時操作を解釈して実行する機能と、周辺オブジェクトアイコン制御部４２から受けた操作識別子（引数）に対応するメタデータの部分を解釈し、対応するタスク（例、ユーザの要求を満たすための通信や判断、画面表示等）を実行する機能とをもっている。
【００５６】
次に、以上のように構成されたネットワーク通信システムの動作を図８及び図９のフローチャートを用いて述べる。  
いま、ディスプレイ装置３０は、アンテナアレイ３２を利用して周辺に存在する無線タグｔｇ１〜ｔｇ４を検索する。
【００５７】
アンテナアレイ３２は、周辺オブジェクト１〜４から出力される無線信号を受信し、得られた受信信号をシリアル回線等を介して情報処理装置３６に入力する。
【００５８】
情報処理装置３６においては、周辺オブジェクト方位推測部４１が、アンテナアレイ３２より入力された受信信号に基づいて、受信信号内の角度情報を処理し、周辺オブジェクトｉｃが存在する確率が高い方位又は位置を推測し、推測結果及び受信信号内の周辺オブジェクトＩＤを周辺オブジェクトアイコン制御部４２に送出する。
【００５９】
周辺オブジェクトアイコン制御部４２は、ユーザの操作し易いインタフェイスを与える観点から、図８に示すように、周辺オブジェクト方位推測部４１から周辺オブジェクトＩＤ及び位置の入力があった場合（ＳＴ１）、これをアイコンリストＬの「現在検出位置」に記入した上で（ＳＴ２）、実際の周辺オブジェクトアイコンｉｃの「現在表示位置」を徐々に「現在検出位置」に近づける（ＳＴ３〜ＳＴ７）。
【００６０】
詳しくは検出位置と表示位置とが一致するか否かを判定し（ＳＴ４）、アイコンがポインタから遠いときには表示位置を少し移動させ（ＳＴ５，ＳＴ６）、アイコンがポインタに近いときには表示位置を更に微小に移動させる（ＳＴ５，ＳＴ７）。これにより、ユーザが操作の意図を持ってポインタをアイコンｉｃ１〜ｉｃ４に近づけた場合に、アイコンｉｃ１〜ｉｃ４が移動してしまい操作しづらいという状況を回避する。
【００６１】
また、アイコンｉｃ１の領域にポインタが位置する際に、ポインタボタン押下を検出した場合、アイコンｉｃ１を「入力待ちモード」に移行させる。入力待ちモードでは、アイコンｉｃ１の「現在表示位置」を「現在検出位置」にせずにポインタの移動に追随させる（ドラッグ）か、あるいはポインタボタン押下解除を検知する。
【００６２】
周辺オブジェクトアイコン制御部４２は、未知の周辺オブジェクトｉｃ４に対応するメタデータの取得をメタデータ取得部４３に要求する。これにより、メタデータの取得処理（ＳＴ８；ＳＴ８−１〜ＳＴ８−１１）が実行される。メタデータ取得部４３は、図９に示すように、記憶装置３１又はＩＤ−メタデータ・ＤＢサーバ２０からメタデータを取得する。
【００６３】
詳しくはメタデータ取得部４３は、始めに、記憶装置３１からメタデータを取得するようにし（ＳＴ８−１〜ＳＴ８−２）、記憶装置３１にメタデータが無いときにはＩＤ−メタデータ・ＤＢサーバ２０からメタデータを取得するようにし（ＳＴ８−３〜ＳＴ８−８）、ＩＤ−メタデータ・ＤＢサーバ２０にも無いときには、古いメタデータを記憶装置３１から取得する（ＳＴ８−９〜ＳＴ８−１１）。なお、古いメタデータも無いときには、メタデータ取得部４３は、メタデータ無し（ｎｕｌｌ）を周辺オブジェクトアイコン制御部４２に返答する（ＳＴ８−１２）。
【００６４】
但し、ここではステップＳＴ８−１〜ＳＴ８−１１の間で、メタデータ取得部４３がメタデータを取得できた場合を述べる。メタデータ取得部４３は、このメタデータを周辺オブジェクトアイコン制御部４２に送出する。
【００６５】
周辺オブジェクトアイコン制御部４２は、メタデータを取得すると（ＳＴ８）、メタデータからアイコンｉｃ４の表示用情報を取得し、アイコンｉｃ４を未知のアイコンｉｃ４’に代えて画面表示部３４に表示させる。
【００６６】
次いで、周辺オブジェクトアイコン制御部４２は、初期化操作を行い（ＳＴ９）、以後、前述したステップＳＴ１〜ＳＴ７と同様に、アイコンｉｃ１〜ｉｃ４の表示位置を更新する（ＳＴ１０）。
【００６７】
また、周辺オブジェクトアイコン制御部４２は、ポインタ入力装置３３からアイコンｉｃ１〜ｉｃ４に対する操作入力を受けると、この操作入力を識別する操作識別子とメタデータとをメタデータ解釈実行部４４に送出する。
【００６８】
メタデータ解釈実行部４４は、操作識別子及びメタデータに基づいて、信号検出時操作を実行する（ＳＴ１１）。例えばメタデータ解釈実行部４４は、信号検出時操作として、周辺オブジェクト１の情報提供要求又は制御命令をネットワークＮＷを介して、周辺オブジェクト代表サーバ１０に送信する。
【００６９】
これにより、周辺オブジェクト代表サーバ１０は、情報提供要求を受けると、この情報提供要求に応じて周辺オブジェクトの関連情報をディスプレイ装置３０に返信する。また、周辺オブジェクト代表サーバ１０は、制御命令を受けると、この制御命令に応じて周辺オブジェクトを制御する。このようにして、信号検出時操作が実行される。
【００７０】
以下、周辺オブジェクトアイコン制御部４２は、アイコンリストＬを定期的に検査し（ＳＴ１２）、最終検出時刻と現在時刻を比較する（ＳＴ１３）。比較の結果、予め定められた一定の時間検出されない周辺オブジェクトに関して、周辺オブジェクトアイコン制御部４２は、信号喪失と判定し、信号喪失時操作をメタデータ解釈実行部４４に実行させる（ＳＴ１４）。
【００７１】
メタデータ解釈実行部４４は、信号喪失時操作を実行し、アイコンｉｃを画面表示部３４から消去し、メタデータを記憶装置３１に書込む。
【００７２】
上述したように本実施形態によれば、周辺オブジェクト１〜４毎に表示用情報及び通信方式が記述されたメタデータを準備し、周辺オブジェクト１〜４を無線信号の受信により検出すると、この検出された周辺オブジェクト１〜４のメタデータを取得し、メタデータに記述された通信方式に基づいて通信を実行するので、任意の通信方式を使用可能として汎用性を向上でき、可視の識別情報を不要として利便性を向上できる。
【００７３】
詳しくは本実施形態では、多様な通信手段や通信手順を用いる機器や、計算能力を持たない物体等の周辺オブジェクト１〜４を、ディスプレイ装置３０上でアイコンｉｃ１〜ｉｃ４を介してユーザから見て同じ方式で制御又は関連情報の取得を実現できる。
【００７４】
また、特に、装置あるいは物体に対応する通信終点アドレスや通信手順が自明で無い場合、要求を満たすための通信を行えない課題を解決する。通信終点アドレス及び通信手順を、ユーザに透過な形で取得し、ユーザの要求に応じて実行する事により、多様な物体をユーザから見て一様な方式で操作・閲覧可能となる。また、併せて、計算能力を持たない物体に対して、情報の取得や情報の操作等を行う場合において、前述の方式と整合性の取れた、ユーザから見て直感的にわかりやすいインタフェイスを提供する。
【００７５】
（第２の実施形態）
図１０は本発明の第２の実施形態に係るディスプレイ装置の画面表示部の外観を示す模式図であり、前述した図面と同一部分には同一符号を付してその詳しい説明を省略し、ここでは異なる部分について主に述べる。なお、以下の各実施形態も同様にして重複した説明を省略する。
【００７６】
すなわち、本実施形態は、第１の実施形態の変形例であり、画面表示部３４が、ディスプレイ装置３０と周辺オブジェクト１〜３との間の距離に反比例して大きさを変えたアイコンｉｃ１ｘ〜ｉｃ３ｘを表示する構成となっている。例えば、より近い位置にあるアイコンｉｃ１ｘ，ｉｃ３をより大きく表示し、一方でより遠い位置にあるアイコンｉｃ２を小さく表示する。
【００７７】
係る構成は、ディスプレイ装置３０との距離と、アイコンの大きさとの関係を記述したメタデータを準備しておくことにより実現可能となっている。
【００７８】
このような構成によれば、第１の実施形態の作用効果に加え、周辺オブジェクト１〜３が置かれている場所を三次元的に表現することができると同時に、利用者によってより関係の深い、即ち近傍のデバイスの操作をより容易にすることができる。また、アンテナアレイ３２が立体的な相対位置を検出可能な特性を持つ場合に、その特性を生かすことができる。
【００７９】
補足すると、アンテナアレイ３２による周辺オブジェクト１〜３の位置認識は平面上に限られない。アンテナアレイ３２が立体的な相対位置を検出可能な場合には、立体的な相対位置を画面表示部３４に表示することにより、利用者に一層の利便性を提供することができる。また、アイコンｉｃ１ｘ〜ｉｃ３ｘの大きさで距離を表現する場合、画面表示部３４に対して、反対側の垂直な方位にアンテナアレイ３２が電波を射出する事により、画面表示部３４の向こう側にある周辺オブジェクト１〜３の方位検出を行うようにすることもできる。
【００８０】
（第３の実施形態）
図１１は本発明の第３の実施形態に係るディスプレイ装置の画面表示部の外観を示す模式図である。すなわち、本実施形態は、第１の実施形態の変形例であり、平面状の画面表示部３４に代えて、三次元形状（例、半球型）の画面表示部３４ａを備えている。これに伴い、アンテナアレイ３２としては、各アンテナに接続された各モータを有し、各モータを駆動して各アンテナの向きを調整するアンテナ調整機能を有するものを用いる。
【００８１】
ディスプレイ装置３０は、この向きが調整された各アンテナに受信された無線信号に基づいて、周辺オブジェクト１〜３を示すアイコンｉｃ１〜ｉｃ３を、三次元の半球形状を有する画面表示部３４ａに表示可能とするように、周辺オブジェクト方位推測部４１に三次元上の方位を推測する機能が付加される。
【００８２】
これにより、画面表示部３４ａは、半球の断面を基準平面として、基準平面より上側にある周辺オブジェクト１〜３に関し、周辺オブジェクト１〜３を発見した方位にアイコンｉｃ１〜ｉｃ３を表示する。
【００８３】
例えば、会議室等の卓上の中心にこのディスプレイ装置を設置し、会議室に設置されている、あるいは持ち込まれた装置（ノートパソコン・プロジェクタ・照明装置・音響・自動カーテン等）の制御に用いる等の際において、周辺を囲んでいる利用者全員にとって判り易いインタフェイスを提供することができる。
【００８４】
以上のような構成によれば、第１の実施形態の作用効果に加え、三次元空間上の周辺オブジェクトの方向又は位置を表示でき、ユーザにとって判り易いインタフェイスを提供することができる。
【００８５】
なお、本実施形態は、次のように変形してもよい。例えば、アイコンｉｃ１〜ｉｃ３を表示する三次元形状の画面表示部３４ａとは別に、作業用画面を表示する平板状の画面表示部３４を使用するように変形してもよい。また、画面表示部３４ａとして、利用者に三次元画像を見せることが可能なディスプレイ装置（株式会社東芝製）を用い、周辺オブジェクト１〜３のアイコンｉｃ１〜ｉｃ３をより実際の相対位置関係に近い位置に表示させるように変形しても良い。
【００８６】
（第４の実施形態）
次に、前述した第１の実施形態を様々なシステムに適用した場合の幾つかの実施形態を説明するが、その前に、以下の各実施形態に共通する部分を簡単に述べる。
【００８７】
現在、米ＭＩＴオートＩＤセンター（米 MIT Auto ID Center）が主導して、様々なものに無線タグを付けるための技術開発・制度の改訂が進められている。以下の各実施形態は、様々な周辺オブジェクトに無線タグが付された世界において、ディスプレイ装置３０により周辺オブジェクトに対する通信を行なう場合を示している。
【００８８】
各実施形態は、大体［１］〜［３］の例に分かれる。
【００８９】
［１］書込可能型の無線タグｔｇと通信する例（例、エアコン）。
【００９０】
［２］無線タグｔｇに関連付けられた周辺オブジェクトがネットワーク通信可能な周辺オブジェクトであり、通信によりユーザの要求を満たす例（例、パソコン、自動車）。
【００９１】
［３］無線タグｔｇに関連付けられた周辺オブジェクトが通信機能や演算機能を持たず、周辺オブジェクトの関連情報を蓄えている周辺オブジェクト代表サーバ１０にアクセスすることにより、ユーザの要求を満たす例（例、衣服、ＤＶＤ）。
【００９２】
３つの例に共通する点は、操作の開始までの流れである。まず、ユーザは何らかの要求（部屋を涼しくしたい、このコンピュータにデータを渡して表示したい、このＤＶＤに記録された映画の製作者情報を知りたい等）を持ち、その要求を満たすためにディスプレイ装置３０を持つ。
【００９３】
ここで、ディスプレイ装置３０は、前述の通りに構成されている。ディスプレイ装置３０の例として、図１２（ａ）に平面図及び側面図を示し、図１２（ｂ）に裏面から見た外観図を示すように、タブレットＰＣ（例：東芝製Dynabook SS 3500等）を拡張したものが使用可能である。
【００９４】
ユーザは、周辺オブジェクトの近くまでディスプレイ装置３０を運ぶ。このとき、ディスプレイ装置３０は、アレイアンテナ３２により、周辺オブジェクトの無線タグｔｇから出力された無線信号を検知し、周辺オブジェクトＩＤ及び周辺オブジェクトの方位を取得する。
【００９５】
ディスプレイ装置３０は、周辺オブジェクトのアイコンｉｃを、周辺オブジェクトの方位に対応させて表示する。この段階では、周辺オブジェクトの内容を知らないので、アイコンｉｃは「未知の周辺オブジェクト」を示す共通のアイコンｉｃ’となる。
【００９６】
ディスプレイ装置３０は、周辺オブジェクトＩＤをメタデータ取得部４３に入力し、メタデータ取得部４３により、周辺オブジェクトＩＤに対応するメタデータを取得する。
【００９７】
この段階でディスプレイ装置３０は、アイコン用の図画をメタデータを利用して取得し、図画に対応してアイコンｉｃを表示する。ユーザは、表示されたアイコンｉｃを、方角と図画の両方から容易に確認できる。
【００９８】
この後、ユーザは、その要求に応じてディスプレイ装置３０を操作する。ディスプレイ装置３０は、ユーザの操作に応じて、メタデータに記述された信号検出時操作を実行する。以上が共通な内容である。
【００９９】
但し、信号検出時操作は、周辺オブジェクト毎に異なる内容がメタデータに記述されるので、メタデータ毎に異なる処理がディスプレイ装置３０により実行される。
【０１００】
従って、以下の各実施形態は、周辺オブジェクト毎に異なる信号検出時操作について主に説明する。始めに、周辺オブジェクトとしてエア・コンディショニング装置を用いた本発明の第４の実施形態について説明する。
【０１０１】
図１３は本発明の第４の実施形態に係るネットワーク通信システムの構成を示す模式図である。図示するように、周辺オブジェクト１がエア・コンディショニング装置（以下、エアコン装置という）１となっている。
【０１０２】
ここで、エアコン装置１に対応するメタデータは、エアコン装置１のＲＦ（Radio Frequency）制御に必要なコマンド、送信すべき値の形式などの記述が少なくとも含まれている。ＲＦ制御には、ブルートゥースのような例と、無線タグの書込操作によって行う例等がある。ディスプレイ装置３０が赤外線送受信装置を有していれば、赤外線制御を用いることも可能である。
【０１０３】
また、アンテナアレイ３２は、無線信号を送受信可能なものである。但し、これに限らず、アンテナアレイ３２が無線信号を受信可能なものであり、ネットワークＩ／Ｆ３５が無線信号を送受信可能なものとしてもよい。
【０１０４】
次に、以上のように構成されたネットワーク通信システムの動作を説明する。なお、ディスプレイ装置３０がエアコン装置１を識別し、エアコン装置１のアイコンｉｃ１を表示するまでの動作は、前述した通りである。
【０１０５】
いま、ディスプレイ装置３０は、エアコン装置１のアイコンｉｃ１を表示している。このとき、室温を下げる意図でエアコン装置１を制御するため、ユーザがアイコンｉｃ１を例えばダブルクリック操作する。
【０１０６】
ディスプレイ装置３０は、このダブルクリック操作により、ダブルクリック操作に対応するメタデータの記述が読み出され、メタデータ解釈実行部４４によって実行される。この実行内容は、エアコン装置１の場合、制御パネルを模したユーザインタフェイスを生成し、ディスプレイ装置３０に表示する操作が適切である。なお、このユーザインタフェイスは、前述したポインタ入力装置３３に相当している。
【０１０７】
ユーザは、例えば室温を１℃下げる操作をこのユーザインタフェイスに入力し、ユーザインタフェイスは、対応する操作信号を周辺オブジェクトアイコン制御部４２に入力する。
【０１０８】
周辺オブジェクトアイコン制御部４２は、この操作信号に対応する操作識別子と、メタデータとをメタデータ解釈実行部４４に送出する。メタデータ解釈実行部４４は、この操作をエアコン装置１に反映するための処理を実行する。具体的には、エアコンのＲＦ制御に必要なコマンド（温度設定値を下げる）、送信すべき値（１℃）の形式をメタデータから取得し、これらコマンド及び値をアンテナアレイ３２を介してエアコン装置１に送信する。
【０１０９】
エアコン装置１は、このコマンド及び値を無線タグｔｇ１により受信すると、ＲＦ制御部１ａがこの受信内容に応じて室温を下げる処理を実行する。
【０１１０】
上述したように本実施形態によれば、第１の実施形態の作用効果に加え、ＲＦ制御される周辺オブジェクト１（例、エアコン装置１）を、無線タグｔｇ１との間で無線信号を送受信することにより、制御することができる。なお、ここではエアコン装置１を例に挙げて説明したが、これに限らず、テレビジョン装置、ビデオ装置、ラジカセ装置などのようにＲＦ制御可能（リモコン操作可能）な製品であれば、同様に実施できることは言うまでもない。
【０１１１】
また、本実施形態では、アイコンｉｃ１のダブルクリック操作によりユーザインタフェイスを表示させ、このユーザインタフェースに入力して室温を下げる操作を実行したが、これに限らず、室温を下げる操作を、ユーザインタフェイスを経由せずに、メタクリックによるメニューの呼び出しから直接実行する等のように、メタデータの信号検出時操作の記述を任意に変形しても良い。
【０１１２】
（第５の実施形態）
図１４は本発明の第５の実施形態に係るネットワーク通信システムの構成を示す模式図である。図示するように、周辺オブジェクト２としての温度計装置２を備えており、ネットワークＮＷにはこの温度計装置２から温度を取得するための通信装置５０が接続されている。
【０１１３】
ここで、温度計装置２は、独立した通信機構を備える温度検出部２ａに無線タグｔｇ２を付加したものであり、温度検出部２ａには例えばインターネットノード株式会社製のホットノード（商品名）を利用可能となっている。ホットノードは、温度計と情報処理装置とネットワークインタフェイスを備え、ネットワークインタフェイスによって温度計の状態を取得可能とするものである。本実施形態の温度計装置２は、この種の通信可能な温度検出部２ａに無線タグｔｇ２を付加したものである。
【０１１４】
これに伴い、温度計装置２に対応するメタデータは、図２に示したように、アイコン用図画取得方法に、文字をインポーズする旨の記述を含んでいる。また、メタデータは、信号検出時操作に、インポーズする文字（現在の温度）を更新するために、所定の通信手順により、定期的にネットワークＮＷを介して温度計装置２と通信し、現在の温度を取得する旨の記述を含んでいる。
【０１１５】
通信装置５０は、ネットワークＮＷ上から温度計装置２と通信するための無線通信可能なインターフェイス機器である。
【０１１６】
次に、以上のように構成されたネットワーク通信システムの動作を説明する。なお、ディスプレイ装置３０が温度計装置２を識別し、温度計装置２のアイコンｉｃ２を表示するまでの動作は、前述した通りである。
【０１１７】
いま、ディスプレイ装置３０は、温度計装置２のアイコンｉｃ２を表示しており、アイコンｉｃ２には、現在の温度がインポーズされている。
【０１１８】
ディスプレイ装置３０は、温度計装置２のメタデータに基づいて、所定の通信手順により、定期的にネットワークＮＷ及び通信装置２を介して温度計装置２と通信し、現在の温度データを取得する。この温度データは、アイコンｉｃ２にインポーズされて表示される。これにより、ディスプレイ装置３０は、周辺にある温度計装置２等の情報をユーザの操作を一切必要とせずに表示することができる。
【０１１９】
上述したように本実施形態によれば、第１の実施形態の作用効果に加え、無線通信可能な周辺オブジェクト２（例、温度計装置２）とネットワークＮＷを介して通信することにより、周辺オブジェクト２の情報を取得することができる。なお、ここでは温度計装置２を例に挙げて説明したが、これに限らず、温度以外の計測装置や、撮像装置などのようにデータ送信可能な製品であれば、同様に実施できることは言うまでもない。
【０１２０】
（第６の実施形態）
図１５は本発明の第６の実施形態に係るネットワーク通信システムの構成を示す模式図である。図示するように、周辺オブジェクト３としてのパーソナルコンピュータ３を備えており、ネットワークＮＷには共有フォルダの記憶装置の如き共有資源５１が接続されている。
【０１２１】
これに伴い、パーソナルコンピュータ３に対応するメタデータは、アイコンｉｃ３のダブルクリック操作に対し、共有資源５１を含むフォルダをマウント（周辺機器を操作可能に表示）する旨の記述を含んでいる。また、メタデータは、アイコンｉｃ３の被ドロップ時操作に対し、ドロップされたアイコンｉｃ３がファイルを示すものであれば、そのファイルを共有資源５１のフォルダに書込む旨の記述を含んでいる。
【０１２２】
次に、以上のように構成されたネットワーク通信システムの動作を説明する。なお、ディスプレイ装置３０がパーソナルコンピュータ３を識別し、パーソナルコンピュータ３のアイコンｉｃ３を表示するまでの動作は、前述した通りである。
【０１２３】
いま、ディスプレイ装置３０は、パーソナルコンピュータ３のアイコンｉｃ３を表示している。このとき、共有資源のファイルを利用する意図で、ユーザがアイコンｉｃ３を例えばダブルクリック操作する。
【０１２４】
ディスプレイ装置３０は、ダブルクリック操作に応じ、ユーザインタフェイスを開いて表示する。次に、ディスプレイ装置３０は、ユーザの操作により、ユーザインタフェース中に存在する共有フォルダが指定されると、共有資源５１内の共有フォルダのユーザインタフェイスを開いて表示するか、又はアイコンｉｃ３にファイルをドラッグすることで、共有フォルダへファイルを記録することができる。
【０１２５】
いずれにしても、共有フォルダの指定により、共有フォルダ内の各ファイルの読出／書込が可能となる。同様に、簡便にファイルの交換を行うことができる。
【０１２６】
上述したように本実施形態によれば、第１の実施形態の作用効果に加え、周辺オブジェクト３のアイコンｉｃ３を操作することにより、ネットワークＮＷ上のオブジェクト（共有資源５１）を利用することができる。ここでは、共有フォルダを含む共有資源５１を利用できる。同様に、簡便にファイルの交換を行うことができる。
【０１２７】
なお、本実施形態は、次のように応用することもできる。すなわち、メタデータ中の被ドロップ時操作の応用例として、プリンタやファックス等の周辺オブジェクトのメタデータには、ドロップされた文書を印刷又は送信する旨の記述を含むようにする。併せてメタデータには印刷又は送信のための通信手順や能力（カラー・モノクロ・両面印刷等）を記述する。これにより、ユーザは、それらプリンタ等の仕様を意識せずに、プリンタ等を利用することができる。
【０１２８】
（第７の実施形態）
図１６は本発明の第７の実施形態に係るネットワーク通信システムの構成を示す模式図である。図示するように、周辺オブジェクト４〜６が衣服４、帽子５及び映像ソフトＤＶＤ６となっている。これら衣服４、帽子５及び映像ソフトＤＶＤ６は、通信機能及び演算機能が無い場合の周辺オブジェクトの例である。
【０１２９】
ここで、衣服４、帽子５及び映像ソフトＤＶＤ６に対応する各々のメタデータは、例えばダブルクリック操作に対し、衣服４、帽子５及び映像ソフトＤＶＤ６の各々の関連情報（ＷＷＷページ等）を周辺オブジェクト代表サーバ１０から読み出す旨の記述を含んでいる。
【０１３０】
次に、以上のように構成されたネットワーク通信システムの動作を説明する。なお、ディスプレイ装置３０が衣服４、帽子５及び映像ソフトＤＶＤ６を識別し、各々のアイコンｉｃ４〜ｉｃ６を表示するまでの動作は、前述した通りである。
【０１３１】
いま、ディスプレイ装置３０は、衣服４、帽子５及び映像ソフトＤＶＤ６の各アイコンｉｃ４〜ｉｃ６を表示している。このとき、例えば映像ソフトＤＶＤ６の概要を知る意図で、ユーザがアイコンｉｃ６を例えばダブルクリック操作する。
【０１３２】
ディスプレイ装置３０は、ダブルクリック操作に応じ、図示しないブラウザを起動させ、該当する映像ソフトＤＶＤ６のＷＷＷページを運営する周辺オブジェクト代表サーバ１０にアクセスし、該当するＷＷＷページを表示する。また、映像ソフトＤＶＤに代えて、情報処理装置用ソフトウェアを周辺オブジェクトとした場合、ユーザ登録手続きやライセンス承認手続等を発生させるようにすることもできる。
【０１３３】
上述したように本実施形態によれば、第１の実施形態の作用効果に加え、通信機能及び演算機能を持たない周辺オブジェクト４〜６（衣服４、帽子５、映像ソフトＤＶＤ６）に対しても、ディスプレイ装置３０にアイコンｉｃ４〜ｉｃ６を表示し、且つ関連情報を取得することができる。
【０１３４】
詳しくは、本実施形態は、周辺オブジェクトが通信機能を持たなくとも、無線タグｔｇ４〜６によりメタデータを取得でき、そこから周辺オブジェクト代表サーバ１０にアクセスできる例である。なお、変形例として、周辺オブジェクト４〜６のメタデータを、公的なメタデータ（第三者から読出可能なデータ）と、私的なメタデータ（特定個人のみ読出／書込可能なデータ）に分割し、私的なメタデータに使用履歴や、特に衣服ならば洗濯・着用の履歴などを書込／読出処理するようにすることもできる。
【０１３５】
（第８の実施形態）
次に、本発明の第８の実施形態として、ネットワーク通信システムに適用可能なメタデータの取得方法を幾つか説明する。
【０１３６】
メタデータは、原則的には専用のＩＤ−メタデータ・ＤＢサーバ２０に保持される。ＩＤ−メタデータ・ＤＢサーバ２０は、複数台の装置として分散配置される。同時に、例えば分散ハッシュテーブル（ＤＨＴ；Distributed Hash Table）等の機構を用いて、周辺オブジェクトＩＤを各ＩＤ−メタデータ・ＤＢサーバ２０に関連付けする。
【０１３７】
この場合、ディスプレイ装置３０は、周辺オブジェクトＩＤから分散ハッシュテーブルを用いてＩＤ−メタデータ・ＤＢサーバ２０のネットワークアドレスを取得し、分散配置されたそれぞれのＩＤ−メタデータ・ＤＢサーバからメタデータを取得する二段構成のメタデータ取得部４４を備える必要がある。
【０１３８】
また、個々のＩＤ−メタデータ・ＤＢサーバ２０は、任意の集団（例・会社、家族、地方自治体等）のデータを管理する。ＩＤ−メタデータ・ＤＢサーバ２０と集団との間は、何らかの相互与信関係にあることが望ましい。また、ＤＮＳ（Domain Name Server）のような権限委譲機能を有し、集団に含まれる特定の小集団については、別のＤＢサーバにデータを移管可能とする。権限委譲機能により、メタデータを周辺オブジェクトが保持する形態も可能である。但し、この場合、周辺オブジェクトが通信機能及びＤＢサーバ機能を有する必要がある。
【０１３９】
なお、ＤＮＳを用いる場合、ディスプレイ装置３０は、周辺オブジェクトＩＤをＤＮＳ利用可能な名前に変換し、ＤＮＳを利用して周辺オブジェクトＩＤからＩＤ−メタデータ・ＤＢサーバ２０のネットワークアドレスを取得し、分散配置されたそれぞれのＩＤ−メタデータ・ＤＢサーバからメタデータを取得する二段構成のメタデータ取得部４４を備える必要がある。
【０１４０】
また、家の中などの更に小集団内で周辺オブジェクトＩＤをＩＤ−メタデータ・ＤＢサーバ２０に関連付ける場合、ＤＨＴやＤＮＳではなく、同一物理ネットワーク（イーサネットセグメント）上のＩＤ−メタデータ・ＤＢサーバ２０に要求をブロードキャストすることで、関連付けを行なって（メタデータを取得して）もよい。
【０１４１】
なお、以上のように取得されるメタデータは、周辺オブジェクトの製作者が作成することが好ましい。但し、メタデータは周辺オブジェクトの所有者により更新可能とすることが好ましい。メタデータを更新する場合、周辺オブジェクトの所有者はＤＢサーバから権限を委譲してもらい、メタデータを更新すればよい。
【０１４２】
この場合、個人ないし任意の団体が自身のＩＤ−メタデータ・ＤＢサーバ２０を用意し、ディスプレイ装置３０は、個人ないし任意の団体のユーザ操作により、自身のＩＤ−メタデータ・ＤＢサーバ２０内のメタデータをＤＨＴやＤＮＳ等に対応させて更新する機能を持つようにすればよい。
【０１４３】
（第９の実施形態）
図１７は本発明の第９の実施形態に係るネットワーク通信システムの構成を示す模式図である。図示するように、周辺オブジェクトとしてのパーソナルコンピュータ３ａ〜３ｃ、ホワイトボード７及びプリンタ８がネットワークＮＷに接続された例である。
【０１４４】
これらパーソナルコンピュータ３ａ〜３ｃ、ホワイトボード７及びプリンタ８と、ディスプレイ装置３０とは、状況適応型スクリーン付き会議室を構成している。なお、パーソナルコンピュータ３ａ〜３ｃは、ノート型パソコンを想定している。また、ディスプレイ装置３０は、アイコン操作を検知可能なものであれば、スクリーン又はプロジェクタ等の任意のデバイスを使用可能となっている。
【０１４５】
ここで、パーソナルコンピュータ３ａ〜３ｃの各々に対応するメタデータは、例えばアイコン３ａ〜３ｃの選択操作に対し、該当するパーソナルコンピュータ３ａの表示画面をディスプレイ装置３０に表示する旨の記述を含んでいる。
【０１４６】
また、ホワイトボード７に対応するメタデータは、例えばアイコンｉｃ７のドロップ操作に対し、ホワイトボード７上の情報を被ドロップ先の機器に送信する旨の記述を含んでいる。同様に、プリンタ８に対応するメタデータは、例えばアイコンｉｃ８の被ドロップ操作に対し、ドロップから送信された情報を受信して印刷する旨の記述を含んでいる。
【０１４７】
次に、以上のように構成されたネットワーク通信システムの動作を説明する。なお、ディスプレイ装置３０がパーソナルコンピュータ（ＰＣ）３ａ〜３ｃ、ホワイトボード７及びプリンタ８を識別し、各々のアイコンｉｃ３ａ〜ｉｃ３ｃ，ｉｃ７，ｉｃ８を表示するまでの動作は、前述した通りである。
【０１４８】
いま、ディスプレイ装置３０は、各々のアイコンｉｃ３ａ〜ｉｃ３ｃ，ｉｃ７，ｉｃ８を表示している。このとき、例えばパーソナルコンピュータ３ｂの表示画面を皆に示す意図で、図１８に示すように、ユーザがディスプレイ装置３０上のアイコンｉｃ３ｂを選択操作する。
【０１４９】
ディスプレイ装置３０は、選択操作に応じ、パーソナルコンピュータ３ｂにアクセスして表示画面のデータを要求し、パーソナルコンピュータ３ｂの表示画面を例えばウインドウ表示する。
【０１５０】
これにより、各人がノート型パソコン（３ａ〜３ｃ）を持参する会議において、各人がパソコン上の資料を容易に皆に見せることができる。
【０１５１】
また、例えばユーザがアイコンｉｃ７をドラッグしてアイコンｐｃ８上にドロップする被ドロップ操作をしたとする。なお、この操作はｉｃ８をｉｃ７にドロップするように変形しても良い。
【０１５２】
いずれにしても、ディスプレイ装置３０は、被ドロップ操作により、メタデータに記述されたようにホワイトボード７及びプリンタを制御し、ホワイトボード７の情報をプリンタ８に出力させることができる。
【０１５３】
上述したように本実施形態によれば、第１の実施形態の作用効果に加え、通信機能を有する周辺オブジェクト３ａ〜３ｃ，７，８（パーソナルコンピュータ３ａ〜３ｃ、ホワイトボード７、プリンタ８）に対しても、ディスプレイ装置３０にアイコンｉｃ３ａ〜３ｃ，ｉｃ７，ｉｃ８を表示し、アイコン操作に応じて制御を実行することができる。
【０１５４】
なお、本実施形態は、メタデータの記述を変形することにより、次の［９−１］〜［９−３］のように変形することもできる。  
［９−１］ホワイトボード７の情報を所定の画像形式に変換し、ネットワークＮＷ上のファイルサーバに置く動作を、ホワイトボード７のアイコンｉｃ７をダブルクリック操作して行うことも可能である。
【０１５５】
この場合、ファイルサーバという周辺オブジェクトは遠隔に存在するが、ファイルサーバのアイコンｉｃｆをディスプレイ装置３０上に表示し、ホワイトボード７を示すアイコンｉｃ７をファイルサーバのアイコンｉｃｆにドラッグすることで実現可能である。
【０１５６】
［９−２］会議室に置いてあるテーブルをディスプレイ装置３０としてもよい。この場合、複数人が同時にディプレイ装置３０上の周辺オブジェクトアイコンを操作することが考えられる。ディスプレイ装置３０であるテーブルの移動に応じて周辺オブジェクトアイコンも移動することで、より直感的に周辺オブジェクトを選択し、操作できる。
【０１５７】
［９−２’］ディスプレイ装置３０であるテーブルを移動させずに、会議室内に存在する周辺オブジェクトの移動に追従してディスプレイ装置３０上の周辺オブジェクトアイコンを移動させてもよい。この場合、会議室内の一時的な配置変更や、参加者が所持する周辺オブジェクトに対する操作などを容易に実行できる。
【０１５８】
なお、変形例［９−２］及び［９−２’］は、周辺オブジェクトの移動頻度などが異なる。そのため、周辺オブジェクトの移動が少ない場合、電力消費を抑えるために無線タグｔｇによる無線信号の送信間隔を長くしてもよい。
【０１５９】
［９−３］その場にあるディスプレイ装置３０に表示するだけでなく、周辺オブジェクトの方位を遠隔地に送信し、臨場感を高めた遠隔会議を実現できる。なお、会議に限らず、遠隔との仮想現実（Virtual Reality）を共有するさまざまな応用に適応できる。加えて、遠隔に存在する周辺オブジェクトを周辺オブジェクトアイコンとして表示し、操作することで、周辺オブジェクトを遠隔から操作することもできる。
【０１６０】
（第１０の実施形態）
次に、本発明の第１０の実施形態として、ネットワーク通信システムのユーザの対象が広い旨を説明し、併せて好適なネットワーク通信システムの例を幾つか説明する。
【０１６１】
ユーザとしては、若者や健常者に限らず、例えば身体に障害を持つなどして、身体のごく一部しか動かせない者に対しても考慮している。
【０１６２】
例えば身体のごく一部のみしか動かせないユーザの場合、介護者に要求を伝えることが難しい。また、介護者が付近にいない場合、ユーザの要求を満たすために、外部の機器類へ作用することが著しく困難である。なお、これは、障害者に限らず、高齢者などでも同様である。
【０１６３】
本発明のユーザは、周辺オブジェクトアイコンが表示されているディスプレイ装置３０を指すことで、容易に意志を介護者に伝えることができる。この際、例えば舌先などしか動かない場合、舌先でポインタを操作することが可能である。この際、周辺オブジェクトは通信機能及び計算機能を持たなくてもよい。
【０１６４】
また、ユーザは、ドラッグ操作及びドロップ操作、クリック操作により、周辺オブジェクトに対する操作を行うことができる。このため、ユーザは介護者が付近にいなくても周辺オブジェクトを扱うことができる。これにより、介護者の負担が軽減される。また、被介護者が周辺にある機器や物体に対し、自分で操作ないし関連情報を閲覧することは、被介護者自身の生活の質を高め、達成感、満足感を得ることができる。これらの特徴により、本発明は高齢化社会での介護事業において有用である。
【０１６５】
なお、周辺オブジェクトに対する操作を行う際、複数の操作が可能な場合、複数の操作をディスプレイ装置３０に表示し、利用者に対して選択を促すようにしてもよい。
【０１６６】
この選択には、障害の種類などによりさまざまな手法が考えられる。例えば周辺オブジェクトアイコンの上に一定時間ポインタを置くと、周辺オブジェクトアイコンの周辺にメニューを表示し、メニューを選択することにより、対応する動作を、クリック操作を伴わないポインタ操作のみによって実行することもできる。このように、種々の種類の入力インタフェイス機器が想定される場合、以下に述べる手法により入力インタフェイス機器をディスプレイ装置３０が発見するようにしてもよい。
【０１６７】
次に、以上のような事情を踏まえて、本発明の第１０の実施形態を説明する。  
図１９は本発明の第１０の実施形態に係るネットワーク通信システムの構成を示す模式図である。図示するように、周辺オブジェクトとしての入力Ｉ／Ｆ機器９及び介護ベッド５２がネットワークＮＷに接続された例である。
【０１６８】
ここで、入力Ｉ／Ｆ機器９は、ディスプレイ装置３０のポインタ入力装置３４に対し、無線電波、赤外線又は有線通信等による操作信号を入力する機能をもっている。なお、入力Ｉ／Ｆ機器９は、ここでは障害者又は高齢者等のユーザを対象とし、ユーザが動かせる身体の一部（例、舌先又はまぶた等）の動作に応じた操作信号を出力する機能をもつが、これに限らず、通常のリモコン機器として実現してもよい。
【０１６９】
また、以上に伴い、入力Ｉ／Ｆ機器９のメタデータは、入力Ｉ／Ｆ機器９から出力された操作信号をポインタ入力装置３４に入力する旨の記述を含んでいる。
【０１７０】
介護ベッド５２は、ネットワークＮＷから受けた制御命令に従い、背もたれ板５２ａを上げ下げする機能をもっている。
【０１７１】
次に、以上のように構成されたネットワーク通信システムの動作を説明する。なお、ディスプレイ装置３０が入力Ｉ／Ｆ機器９及び介護ベッド５２を識別し、各々のアイコンｉｃ９，ｉｃ５２を表示するまでの動作は、前述した通りである。
【０１７２】
いま、ディスプレイ装置３０は、各々のアイコンｉｃ９，ｉｃ５２を表示している。このとき、入力Ｉ／Ｆ機器９は、ユーザの操作により、操作信号を出力したとする。
【０１７３】
ディスプレイ装置３０は、この操作信号を受信すると、メタデータに基づいて、操作信号をポインタ入力装置３４に入力し、しかる後、介護ベッドを制御する。
【０１７４】
上述したように本実施形態によれば、ディスプレイ装置３０に表示されたアイコンを操作せず、周辺オブジェクト９を操作する場合でも、メタデータの記述に応じて、第１の実施形態と同様の作用効果を得ることができる。
【０１７５】
なお、本実施形態は、ディスプレイ装置３０が入力Ｉ／Ｆ機器９を識別する場合について述べたが、これに限らず、入力Ｉ／Ｆ機器９がディスプレイ装置３０を識別し、ディスプレイ装置３０のメタデータを取得し、そのメタデータにあるポインタ入力装置３４に対する入力仕様を入力Ｉ／Ｆ機器９が解釈・実行し、入力Ｉ／Ｆ機器９が出力をポインタ入力装置３４に入力する構成としてもよい。
【０１７６】
また、本実施形態は、介護ベッドを上げ下げする場合を述べたが、これに限らず、ラジオやテレビなどの操作、空調の温度設定変更などのように、任意の制御に適用可能となっている。また、メタデータの記述に応じ、ポインタ操作のみで多様な種類の周辺オブジェクトを操作することができる。
【０１７７】
このような操作は、いずれも従来介護者なしでは行えない操作であったが、本実施形態を利用することにより、ユーザは容易に所望の操作を行うことができる。
【０１７８】
また、例えば利用者が着たい、着せてもらいたい服を介護者に伝えるなど、通信及び演算能力がない物体も同様に扱うことができる。このような場合は、周辺オブジェクト代表サーバ１０を利用することにより、周辺オブジェクトを扱うことができる。
【０１７９】
なお、本実施形態の場合、無線信号として電波信号を使用することで、ペースメーカ等の医用機器の誤作動の可能性を否定できない。このため、病院内で実施する場合には、電波信号ではなく、赤外線信号などを利用することが好ましい。
【０１８０】
（第１１の実施形態）
図２０は本発明の第１１の実施形態に係るネットワーク通信システムの構成を示す模式図である。図示するように、周辺オブジェクトとしての自動車６０，６１に搭載されたディスプレイ装置３０ａ，３０ｂが通信装置５３を介してネットワークＮＷに接続された例である。
【０１８１】
ここで、自動車６０，６１は、夫々ディスプレイ装置３０ａ，３０ｂと、無線タグｔｇ６０，ｔｇ６１を備えている。
【０１８２】
ディスプレイ装置３０ａ，３０ｂのアレイアンテナ３２は、本実施形態では無線信号を送受信する機能を有しており、安全を確保可能な車間距離においても交信可能な出力をもっている。これは無線タグｔｇ６０，ｔｇ６１も同様である。
【０１８３】
アレイアンテナ３２は、自動車６０，６１の上部や底面部、あるいは前面部、背面部など、電波を容易に送受信可能な部位であれば任意の部位に設置してもよい。これは、無線タグｔｇ６０，ｔｇ６１も同様である。
【０１８４】
但し、無線タグｔｇ６０，ｔｇ６１は、自動車６０，６１毎に１個に限らず、車両本体による電磁波の遮断効果を最小限に抑える観点から、自動車６０，６１毎に複数個を設けても良い。例えば２個の無線タグｔｇ６０を前後のナンバープレートの位置に取り付けてもよい。この場合、２個の無線タグｔｇ６０が同じ周辺オブジェクトＩＤを示すことから、周辺オブジェクトに対する方位が複数生じる可能性がある。この場合、周辺オブジェクト方位推測部４１により、両方位の間を補完した方位を算出するようにしてもよい。なお、周辺オブジェクトＩＤとして、車のナンバーを使用してもよい。
【０１８５】
また、ディスプレイ装置３０ａ，３０ｂのメタデータは、他の自動車６１，６０のアイコン操作に応じて、そのアイコンに相当する自動車６１，６０に情報を送信する旨の記述を含んでいる。送信する情報は、音声情報、画像情報又はその両方のいずれでもよい。
【０１８６】
次に、以上のように構成されたネットワーク通信システムの動作を説明する。なお、各ディスプレイ装置３０ａ，３０ｂが他の自動車６１，６０を識別し、アイコンｉｃ６１，ｉｃ６０を表示するまでの動作は、前述した通りである。
【０１８７】
いま、例えば自動車６０のディスプレイ装置３０ａは、自動車６１のアイコンｉｃ６１を表示する。この際、車の進行方位を上として表示されることにより、ユーザは直感的に周辺オブジェクト６１と自分が運転中の自動車６０との位置関係を把握できる。但し、ディスプレイ装置３０上のどの辺をどの方位に当てはめるかは任意に変更可能としても良い。この場合、ユーザの意志による変更、あるいは車の進んでいる方角が変わることなどによって変更されることが考えられる。
【０１８８】
ユーザは、追い越し、あるいは右左折などを行う際に、ディスプレイ装置３０ａを眺めることにより、これから移動する方位に他の自動車６１が存在するか否かを即座に把握できる。そのため、本発明は運転に際して安全を判断する材料となる。
【０１８９】
また、他の自動車６１のアイコンｉｃ６１をクリック操作あるいは指で軽く触ることによるポインタ入力操作（以下、タップ操作と呼ぶ）を行う、あるいは音声による指示により、ディスプレイ装置３０ａが通信装置５３を介してネットワークＮＷからメタデータを取得し、メタデータに含まれている操作を実行することができる。なお、複数の操作がメタデータに含まれている場合、任意の操作をクリックあるいは指による直接タップ操作あるいは音声による指示で選択し、実行してもよい。
【０１９０】
このような操作としては、例えば、割込もうとする自動車６１に対して警告を発することや、危険注意や、割込注意や、譲られたことに対するお礼など、任意の情報を相手のディスプレイ装置３０ｂに表示させる操作が考えられる。また、チャットなどの音声あるいは画像付き音声通信を行うことなどができる。
【０１９１】
上述したように本実施形態によれば、第１の実施形態の作用効果に加え、ディスプレイ装置３０ａ，３０ｂ同士の通信を実行することができる。また、ディスプレイ装置３０ａ，３０ｂを自動車６０，６１に搭載したことにより、自動車間通信を実現することができる。
【０１９２】
なお、上記各実施形態に記載した手法は、コンピュータに実行させることのできるプログラムとして、磁気ディスク（フロッピー（登録商標）ディスク、ハードディスクなど）、光ディスク（ＣＤ−ＲＯＭ、ＤＶＤなど）、光磁気ディスク（ＭＯ）、半導体メモリなどの記憶媒体に格納して頒布することもできる。
【０１９３】
また、この記憶媒体としては、プログラムを記憶でき、かつコンピュータが読み取り可能な記憶媒体であれば、その記憶形式は何れの形態であっても良い。
【０１９４】
また、記憶媒体からコンピュータにインストールされたプログラムの指示に基づきコンピュータ上で稼働しているＯＳ（オペレーティングシステム）や、データベース管理ソフト、ネットワークソフト等のＭＷ（ミドルウェア）等が本実施形態を実現するための各処理の一部を実行しても良い。
【０１９５】
さらに、本発明における記憶媒体は、コンピュータと独立した媒体に限らず、ＬＡＮやインターネット等により伝送されたプログラムをダウンロードして記憶または一時記憶した記憶媒体も含まれる。
【０１９６】
また、記憶媒体は１つに限らず、複数の媒体から本実施形態における処理が実行される場合も本発明における記憶媒体に含まれ、媒体構成は何れの構成であっても良い。
【０１９７】
尚、本発明におけるコンピュータは、記憶媒体に記憶されたプログラムに基づき、本実施形態における各処理を実行するものであって、パソコン等の１つからなる装置、複数の装置がネットワーク接続されたシステム等の何れの構成であっても良い。
【０１９８】
また、本発明におけるコンピュータとは、パソコンに限らず、情報処理機器に含まれる演算処理装置、マイコン等も含み、プログラムによって本発明の機能を実現することが可能な機器、装置を総称している。
【０１９９】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【０２００】
【図１】本発明の第１の実施形態に係るネットワーク通信システムの構成を示す模式図である。
【図２】同実施形態におけるメタデータの一例を示す模式図である。
【図３】同実施形態におけるディスプレイ装置の構成を示す模式図である。
【図４】同実施形態における画面表示部の表示例を示す模式図である。
【図５】同実施形態における情報処理装置の構成を示す模式図である。
【図６】同実施形態における周辺オブジェクト方位推測部の機能を説明するための模式図である。
【図７】同実施形態におけるアイコンリストの構成を示す模式図である。
【図８】同実施形態における動作を説明するためのフローチャートである。
【図９】同実施形態における動作を説明するためのフローチャートである。
【図１０】本発明の第２の実施形態に係るディスプレイ装置の画面表示部の外観を示す模式図である。
【図１１】本発明の第３の実施形態に係るディスプレイ装置の画面表示部の外観を示す模式図である。
【図１２】本発明の第４の実施形態に係るディスプレイ装置の平面図、側面図及び外観図である。
【図１３】同実施形態におけるネットワーク通信システムの構成を示す模式図である。
【図１４】本発明の第５の実施形態に係るネットワーク通信システムの構成を示す模式図である。
【図１５】本発明の第６の実施形態に係るネットワーク通信システムの構成を示す模式図である。
【図１６】本発明の第７の実施形態に係るネットワーク通信システムの構成を示す模式図である。
【図１７】本発明の第８の実施形態に係るネットワーク通信システムの構成を示す模式図である。
【図１８】本発明の第９の実施形態に係るネットワーク通信システムの構成を示す模式図である。
【図１９】本発明の第１０の実施形態に係るネットワーク通信システムの構成を示す模式図である。
【図２０】本発明の第１１の実施形態に係るネットワーク通信システムの構成を示す模式図である。
【符号の説明】
【０２０１】
１…エアコン装置、２…温度計装置、３…パーソナルコンピュータ、４…衣服、５…帽子、６…映像ソフトＤＶＤ、７…ホワイトボード、８…プリンタ、９…入力Ｉ／Ｆ機器、１０…周辺オブジェクト代表サーバ、２０…ＩＤ−メタデータ・ＤＢサーバ、３０，３０ａ，３０ｂ…ディスプレイ装置、３１…記憶装置、３２…アンテナアレイ、３３…ポインタ入力装置、３４，３４ａ…画面表示部、３５…ネットワークＩ／Ｆ、３６…情報処理装置、４１…周辺オブジェクト方位推測部、４２…周辺オブジェクトアイコン制御部、４３…メタデータ取得部、４４…メタデータ解釈実行部、４１ｆ１…デバイス依存特性除去機能、４１ｆ２…入力平滑化機能、５０，５３…通信装置、５１…共有資源、５２…介護ベッド、６０，６１…自動車、ｉｃ１〜ｉｃ４…アイコン、ＮＷ…ネットワーク、ｔｇ１〜ｔｇ９，ｔｇ６０，ｔｇ６１…無線タグ。
【図１】
2005175666.tif 000003
【図２】
2005175666.tif 000004
【図３】
2005175666.tif 000005
【図４】
2005175666.tif 000006
【図５】
2005175666.tif 000007
【図６】
2005175666.tif 000008
【図７】
2005175666.tif 000009
【図８】
2005175666.tif 000010
【図９】
2005175666.tif 000011
【図１０】
2005175666.tif 000012
【図１１】
2005175666.tif 000013
【図１２】
2005175666.tif 000014
【図１３】
2005175666.tif 000015
【図１４】
2005175666.tif 000016
【図１５】
2005175666.tif 000017
【図１６】
2005175666.tif 000018
【図１７】
2005175666.tif 000019
【図１８】
2005175666.tif 000020
【図１９】
2005175666.tif 000021
【図２０】
2005175666.tif 000022